(57)【特許請求の範囲】
【請求項１】
光透過性材料によって厚底に形成された履物本体と、この履物本体の上部に装着される本底とを備え、前記履物本体の上部には、そのトウ部からヒール部に至り、前記本底によって閉塞される凹部が形成されているとともに、前記履物本体のトウ部およびヒール部における前記凹部の下方が肉厚に形成されてなり、前記本底の下面には、前記凹部の内壁へ向けて光を照射する発光体が設けられた配線基板と、前記発光体に駆動電力を供給する電力供給手段と、前記発光体の発光形態を制御する制御手段が設けられ、前記本底がその下部を構成するインナーを備え、前記制御手段および前記電力供給手段が、前記インナーのトウ側下部に設けられた収納ボックス内に収納され、前記配線基板は、前記収納ボックスの先端部から引き出されて、前記収納ボックスの前面から下面および後面を経て前記インナーの下面に沿ってヒール側まで配置されて、前記配線基板、前記制御手段、および、前記電力供給手段が前記インナーと一体化されていることを特徴とする装飾機能を備えた履物。
【請求項２】
前記発光体が複数設けられ、これらの発光体の発光形態が、前記制御手段によって個々に変化させられるようになされていることを特徴とする請求項１に記載の装飾機能を備えた履物。
【請求項３】
前記発光体がＬＥＤであることを特徴とする請求項１または請求項２に記載の装飾機能を備えた履物。
【請求項４】
前記ＬＥＤが、三色ＬＥＤであることを特徴とする請求項３に記載の装飾機能を備えた履物。
【請求項５】
前記制御手段が、前記発光体の発光形態を切り替える切替スイッチを備え、この切替スイッチが、前記履物本体の下面で、ヒール側とトウ側との中間部において外部へ露出させられた状態で装着されていることを特徴とする請求項１ないし請求項４の何れかに記載の装飾機能を備えた履物。
【請求項６】
前記電力供給手段が乾電池であることを特徴とする請求項１ないし請求項５の何れかに記載の装飾機能を備えた履物。
【請求項７】
前記電力供給手段が、充放電可能な二次電池と、この二次電池の充電を行なう充電手段とによって構成されていることを特徴とする請求項１ないし請求項５の何れかに記載の装飾機能を備えた履物。
【請求項８】
前記充電手段が、前記履物本体の外面に露出させられたＵＳＢ端子を備え、このＵＳＢ端子を介して外部電源へ接続されるようになされていることを特徴とする請求項７に記載の装飾機能を備えた履物。
【発明の詳細な説明】
【技術分野】
【０００１】
本発明は、装飾機能を備えた履物に係わり、特に、光によって装飾を行なうようにした履物に関するものである。
【背景技術】
【０００２】
従来、この種の履物として、たとえば、特許文献１に示される構造のものが提案されている。
【０００３】
この従来の技術は、ハイヒールのヒール部分に、後方へ向けて光を照射する発光体と、この発光体に駆動電力を供給する乾電池を組み込んだ構成となっている。
【先行技術文献】
【特許文献】
【０００４】
【特許文献１】特開平１０−１２７３０７号公報
【発明の概要】
【発明が解決しようとする課題】
【０００５】
前述した従来の技術によって、履物の内部から光が照射されて、この光によって履物に装飾機能を与えることができるようになった。
【０００６】
しかしながら、この技術では、光の照射がヒールの後方においてのみなされ、かつ、前記光の照射が継続して行なわれることから、変化の乏しい装飾になりがちで、視覚的な興味を引きつけるには十分ではない。
【０００７】
本発明は、前述した従来の技術において残されている問題点に鑑みてなされたもので、照射される光の広がりを極力広くして、視認可能な方向を広げ、また、前記光の発光形態を変化させることにより、装飾性を高めることの可能な装飾機能を備えた履物を提供することを解決すべき課題とする。
【課題を解決するための手段】
【０００８】
本発明の装飾機能を備えた履物は、前述した課題を解決するために、光透過性材料によって厚底に形成された履物本体と、この履物本体の上部に装着される本底とを備え、前記履物本体の上部には、そのトウ部からヒール部に至り、前記本底によって閉塞される凹部が形成されているとともに、前記履物本体のトウ部およびヒール部における前記凹部の下方が肉厚に形成されてなり、前記本底の下面には、前記凹部の内壁へ向けて光を照射する発光体が設けられた配線基板と、前記発光体に駆動電力を供給する電力供給手段と、前記発光体の発光形態を制御する制御手段が設けられていることを特徴としている。
【０００９】
このように構成された本発明の装飾機能を備えた履物にあっては、前記駆動電力を前記発光体へ供給して発光させる。
【００１０】
前記発光体からの光は、前記履物本体に形成されている凹部の内壁へ向けて照射されて、この内壁より前記履物本体内に入射し、さらに、この履物本体自体を光路として進み、前記履物本体の表面から外部へ照射される。
【００１１】
そして、発光体から照射される光が、前記履物本体を光路として進むことにより、この履物本体自体が光ることとなる。
しかも、前記履物本体全体が光路となるので、この履物本体全体が光った状態となり、その視認性や装飾効果を高めることができる。
【００１２】
また、トウ部とヒール部を肉厚形状としたことにより、前述した光路が大きく確保され、これによって、大きな発光領域を得ることができ、視認性や装飾効果をさらに向上させることができる。
【００１３】
さらに、前記制御手段により、前記発光体の発光形態を変化させることにより、光に動きを与えることもできる。
【００１４】
そして、前記発光体を複数設けて、これらの発光体の発光形態を、前記制御手段によって個々に変化させるようにすることもできる。
これによって、視認される光の変化を、より多様化することができる。
【００１５】
前記発光体をＬＥＤによって構成することができる
このような構成とすることにより、消費電力を軽減することができるとともに、外力が頻繁に作用する履物において、その耐久性を確保することができる。
【００１６】
そして、前記ＬＥＤを三色ＬＥＤとすることができる。
このような構成とすることにより、発光体から照射される光に色の変化を付与することができ、これによって、装飾性をさらに高めることができる。
【００１７】
前記制御手段に、前記発光体の発光形態を切り替える切替スイッチを設けておくことにより、この切替スイッチを操作して発光形態を選択することにより、好みの装飾を行なわせることができる。
【００１８】
そして、前記切替スイッチを、前記履物本体の下面で、ヒール側とトウ側との中間部において外部へ露出させた状態で装着することにより、前記切替スイッチを目立たなくし、履物の意匠が損なわれることを防止することができる。
【００１９】
前記電力供給手段として、乾電池や、充放電可能な二次電池および充電手段によって構成することができる。
【００２０】
前者は、前記発光体に消費電力の少ないＬＥＤを用いる場合に有効で有り、後者は、電池の交換作業を無くすことができる点で有利である。
【００２１】
一方、前記充電手段に、前記履物本体の外面に露出させられたＵＳＢ端子を装備しておき、このＵＳＢ端子を介して外部電源へ接続するようにすることもできる。
【００２２】
このような構成とすることにより、充電手段の構成部材を小さくして、履物の外観が損なわれてしまうことを防止することができるとともに、一般的な家庭用コンセントだけでなく、パーソナルコンピュータを外部電源として充電することができる。
【発明の効果】
【００２３】
このように、本発明の装飾機能を備えた履物によれば、照射される光の広がりを極力広くして視認可能な方向を広げるとともに、前記光の発光形態を変化させ、これによって視認性が高く、かつ、変化に富んだ装飾を実現することができる。
【図面の簡単な説明】
【００２４】
【図１】本発明の一実施形態にかかる装飾機能を備えた履物を示す側面図である。
【図２】本発明の一実施形態にかかる装飾機能を備えた履物を示す分解図である。
【図３】本発明の一実施形態を示すもので、発光体やその駆動系を説明するための展開図である。
【発明を実施するための形態】
【００２５】
以下、本発明の一実施形態について、図面を参照して説明する。
図１において、符号１は、本実施形態に係わる装飾機能を備えた履物（以下、履物と略称する）を示し、厚底の履物本体２と、この履物本体２の上部に取り付けられた本底３を備えており、前記履物本体２の上部には、前記本邸３によって閉じられる凹部２ａが形成されている。
【００２６】
前記凹部２ａは、前記履物本体２のヒール部からトウ部へ至る、前記履物１のほぼ全長にわたって形成されており、ヒール部およびトウ部において若干深くなるように形成されている。
【００２７】
そして、前記履物本体２が厚底形状となされていることから、前記ヒール部およびトウ部の下方が、それぞれ肉厚部２ｂ、２ｃとなされている。
【００２８】
また、前記トウ部とヒール部には、前記履物本体２と前記本底３とで挟み込まれて固定された甲帯４とストラップ５が設けられている。
【００２９】
前記本底３は、図２に示すように、使用者の体重を支持する金属製のインナー６と、このインナー６に、このインナー６をその上方から包み込むようにして取り付けられる表具７とによって構成されている。
【００３０】
前記インナー６の下面には、光照射用のユニットＵが装着されている。
この光照射用ユニットＵは、図３に詳述するように、可撓性を有し長尺状に形成された配線基板８と、この配線基板８の長さ方向に間隔をおいて多数装着された発光体９と、これらの発光体９に前記配線基板８を介して電気的に接続され、前記発光体９の発光形態を制御する制御手段１０、前記発光体９へ駆動電力を供給する電力供給手段１１とによって構成されている。
【００３１】
また、本実施形態においては、前記電力供給手段１１として、充放電可能な二次電池１２が用いられ、この二次電池１２に充電を行なうための充電器１３を備えている。
【００３２】
前記充電器１３には、充電用プラグが接続されるが、本実施形態においては、前記充電プラグとしてＵＳＢ端子１４が用いられており、このＵＳＢ端子１４は、前記配線基板８の途中に装着されている。
【００３３】
また、本実施形態においては、前記制御手段１０に制御信号を送り、この制御手段１０による前記発光体９の発光形態をセットする切替スイッチ１５が設けられている。
【００３４】
この切替スイッチ１５は、前記配線基板８に、前記ＵＳＢ端子１４と隣り合うようにして設けられている。
【００３５】
そして、前記光照射用のユニットＵは、図２に示すように、前記インナー６の下面に沿うようにして取り付けられる。
すなわち、前記制御手段１０および前記電力供給手段１１は、図２に示すように、収納ボックス１６内に収納されて、この収納ボックス１６を介して、前記インナー６のトウ側の下面に取り付けられている。
【００３６】
前記配線基板８は、前記収納ボックス１６の先端部から引き出されて、前記収納ボックス１６の前面から下面および後面を経て前記インナー６の下面に沿って、前記インナー６のヒール側まで配置されている。
【００３７】
そして、前記インナー６を前記履物本体２の上部に取り付けた状態において、前記光照射用ユニットＵが、前記履物本体２の前記凹部２ａ内に位置させられるようになっている。
【００３８】
また、前記光照射用ユニットＵが前記凹部２ａ内に位置させられた状態において、前記ＵＳＢ端子１４および前記切替スイッチ１５が、図１に示すように、前記履物本体２の、ヒール部とトウ部との間に形成されている貫通孔２ｄ内に位置させられるようになっている。
【００３９】
そして、前記ＵＳＢ端子１４および前記切替スイッチ１５は、前記貫通孔２ｄを経て、前記履物本体２の外部に露出させられた状態に保持される。
【００４０】
このように構成された本実施形態に係わる履物１は、前記切替スイッチ１５を操作して前記光照射用ユニットＵを起動するとともに、前記発光体９の発光形態を決定する。
【００４１】
前述した切替スイッチ１５の操作に基づき、前記制御手段１０は、前記発光体９に駆動電力を供給して、この発光体９の発光を行なわせる。
【００４２】
前記発光体９の発光がなされると、照射された光が前記凹部２ａを進んでその内壁に到達し、さらに、この内壁面から前記履物本体２の内部へと進み、この履物本体２を光路として進んだ後に、前記履物本体２の表面から外部へ照射される。
【００４３】
そして、前記光が、前記凹部２ａ内を進む間において、その一部が前記凹部２ａの周壁から外部へ照射されて視認され、また、履物本体２内を進む間において、この履物本体２自体を発光させ、視認させることができる。
【００４４】
そして、前記トウ部やヒール部に肉厚部２ｂ・２ｃが形成されていることから、発光領域が大きく確保されて、その視認性が高められるとともに、装飾効果が得られる。
【００４５】
また、前記凹部２ａからその周壁を介して外部へ照射される光と、前記肉厚部２ｂ・２ｃを経て外部へ照射される光とは、その経路が屈折率の違い等によって異なる。
したがって、外部からの視認性が異なり、この点からも装飾性が高められる。
【００４６】
さらに、前記履物本体２全体が光透過性材料によって形成されていることにより、この履物本体２の全周面から前記光の照射が行なわれる。
したがって、前記履物１回りの全方向において視認させることができる。
【００４７】
これに加えて、前記発光体９の発光形態に、点滅、点滅間隔の変更、若しくは、色変更等の複数の発光形態を組み合わせることにより、さらに装飾効果を高めることができる。
【００４８】
一方、前記電力供給手段１１内の電力が消費されてしまった場合にあっては、前記ＵＳＢ端子１４に外部電源を接続して、前記二次電池１２の充電を行なうことによって対処する。
【００４９】
そして、前記外部電源は、一般的なコンセントであってもよく、パーソナルコンピューターのＵＳＢポートであってもよい。
【００５０】
なお、前記実施形態において示した各構成部材の諸形状や寸法等は一例であって、設計要求等に基づき種々変更可能である。
【符号の説明】
【００５１】
１  履物
２  履物本体
２ａ  凹部
２ｂ  肉厚部
２ｃ  肉厚部
２ｄ  貫通孔
３  本底
４  甲帯
５  ストラップ
６  インナー
７  表具
８  配線基板
９  発光体
１０  制御手段
１１  電力供給手段
１２  二次電池
１３  充電器
１４  ＵＳＢ端子
１５  切替スイッチ
１６  収納ボックス
Ｕ  光照射用ユニット
【図１】
0006577218.tif 000002
【図２】
0006577218.tif 000003
【図３】
0006577218.tif 000004